(57)【要約】【課題】安価であり、外観性を損なうこともない構成でありながら、耐食性に優れるとともに、オイル漏れが防止できる口金具の製造方法を提供することにある。【解決手段】接続部材としてのソケット５を金具本体４に挿入し、所定の位置関係で位置決めする位置決め工程と、ソケット５の第１開孔部６の内径ｄ４が周状突出部３の外径ｄ３よりも小さく、かつ、ソケット５が金具本体４に対して軸方向に移動可能となるように、肩かしめ部５ａを径方向にかしめる肩かしめ工程と、端面７ａをソケット５の他端側から一端側へ軸心方向に塑性変形させて内周返り部７ｂを形成するとともに、端面６ａおよび第２開孔部７の内周面並びに内周返り部７ｂによって、周状突出部３を縦断面視コの字状に挟み込むようにかしめるソケット５と金具本体４のかしめ工程と、を備える。【選択図】図３
2019011777.tif 000002
【特許請求の範囲】
【請求項１】
ステンレス鋼製の略筒形状を有する接続部材と、この接続部材と同心状に前記接続部材内で固定される鉄製の管状の金具本体と、からなる口金具の製造方法であって、
前記金具本体は、第１の管体部と、第２の管体部と、前記第１の管体部の他端側と前記第２の管体部の一端側との間に形成された、前記第１の管体部の外径および前記第２の管体部の外径よりも大きな外径を有した周状突出部と、からなり、
前記接続部材には肩かしめ部が設けられているとともに、
この肩かしめ部は、前記接続部材の一端側から軸心方向に順に、前記周状突出部が挿通可能な第１開孔部と、前記周状突出部の軸心方向の長さよりも長い軸心方向の長さを有した内周面と前記第１開孔部よりも大きな内径とを有した第２開孔部とが同心状に形成されたものであり、
さらに、前記接続部材の他端側には、前記第２開孔部よりも大きな内径を有した第３開孔部が前記第２開孔部と同心状に形成されており、
前記接続部材を前記金具本体に挿入し、前記第１開孔部の内周面を前記第１の管体部の外周面と対向させ、かつ、前記第２開孔部の内周面を前記周状突出部の外周面と対向するように位置決めする位置決め工程と、
前記第１開孔部の内径が前記周状突出部の外径よりも小さく、かつ、前記接続部材が前記金具本体に対して軸方向に移動可能となるように、前記位置決め工程で位置決めされた前記接続部材の第１開孔部が形成された肩かしめ部を径方向にかしめる肩かしめ工程と、
前記第２開孔部と前記第３開孔部の境界にある前記接続部材の軸心方向の端面を、前記接続部材の他端側から一端側へ軸心方向に塑性変形させて内周返り部を形成するとともに、前記肩かしめ工程後の第１開孔部と第２開孔部の境界にある前記接続部材の軸心方向の端面および第２開孔部の内周面並びに前記内周返り部によって、前記周状突出部を縦断面視コの字状に挟み込むようにかしめる接続部材と金具本体とのかしめ工程と、
を備えることを特徴とする口金具の製造方法。
【請求項２】
前記肩かしめ工程は、前記第１開孔部の内径が前記周状突出部の外径よりも小さく、かつ、前記接続部材が前記金具本体に対して軸方向に移動可能となるように、前記位置決め工程で位置決めされた前記接続部材の第１開孔部および第２開孔部が形成された肩かしめ部を径方向にかしめることを特徴とする請求項１に記載の口金具の製造方法。
【発明の詳細な説明】
【技術分野】
【０００１】
本発明は、車両用ブレーキホース、クラッチホースまたはパワーステアリングホース等に用いられる口金具の製造方法に関する。
【背景技術】
【０００２】
この種の口金具は、一端側にパイプ等を備えるとともに、他端側に円筒状のソケットを備え、このソケットの内側に、中心部にオイル通路を有するニップルが形成されたものが一般的である。
【０００３】
上記口金具として、鉄製のパイプと鉄製のソケットが一体構造をなし、その一体構造の表面に電気めっきが施されているものが知られている（例えば、特許文献１参照）。また、上記口金具として、鉄製のパイプと鉄製のソケットがろう付加工され、ろう付加工された後の口金具の表面に電気めっきが施されているものも知られている（例えば、特許文献２参照）。
【０００４】
また、上記口金具として、電気めっきが施された鉄製のパイプの一端側をニップルとし、このニップルの軸方向のかしめ溝と、電気めっきが施された鉄製のソケットの有孔底部との位置合わせをして、このソケットの外周から肩かしめを行ない一体化させた構成も知られている（例えば、特許文献３参照）。
【先行技術文献】
【特許文献】
【０００５】
【特許文献１】特開２０１１−７２４１号公報
【特許文献２】米国特許出願公開第２００２／００９６８７７号明細書
【特許文献３】特開２０１２−２２５５１０号公報
【発明の概要】
【発明が解決しようとする課題】
【０００６】
しかし、上記特許文献１や特許文献２に開示された技術は、ソケットとニップルとの間に挿入されたホースの締結に際して、ソケットを外周からかしめるため、ソケットの表面に施された電気めっきがダメージを受けてしまう。したがって、顧客から要求される耐食性を満足することができないという問題点があった。また、ダメージを受けたソケット全体をゴム製や樹脂製等の被覆部材で覆う方法もあるが、コスト高となるばかりか、外観性も劣る欠点がある。
【０００７】
また、上記特許文献３に開示された技術においても、上記特許文献１や特許文献２と同様な問題点がある。そこで、鉄製のソケットをステンレス鋼製のソケットに代えることで、前記問題点を回避する（顧客から要求される耐食性を満足する）ことは可能になる。しかし、経年劣化等により、ニップルとホースとの間にオイルが伝わり、肩かしめされたソケットとパイプとの固定部からオイルが漏れることがある。特に、鉄製のパイプの他端側は、車両毎の取付レイアウトに対応するため、多くの種類があり、この鉄製のパイプの他端側には、アイジョイント金具等がろう付加工されている。そのため、ろう付け後の鉄製のパイプは軟化しており、従来の周方向からの肩かしめでは、ステンレス鋼製のソケットのスプリングバック量が、前記パイプのスプリングバック量に比べて、より大きくなってしまう。このようなスプリングバック量の差異があると、肩かしめされたソケットとパイプとの固定部に隙間ができ、オイル漏れが発生する虞がある。また、パイプ側のスプリングバック量を改善した材質にする方法もあるが、一般的にコスト高となってしまうという欠点がある。
【０００８】
本発明の目的は、安価であり、外観性を損なうこともない構成でありながら、耐食性に優れるとともに、オイル漏れが防止できる口金具の製造方法を提供することにある。
【課題を解決するための手段】
【０００９】
この目的を達成するために、第１発明に係る口金具の製造方法は、ステンレス鋼製の略筒形状を有する接続部材と、この接続部材と同心状に前記接続部材内で固定される鉄製の管状の金具本体と、からなる口金具の製造方法であって、
前記金具本体は、第１の管体部と、第２の管体部と、前記第１の管体部の他端側と前記第２の管体部の一端側との間に形成された、前記第１の管体部の外径および前記第２の管体部の外径よりも大きな外径を有した周状突出部と、からなり、
前記接続部材には肩かしめ部が設けられているとともに、
この肩かしめ部は、前記接続部材の一端側から軸心方向に順に、前記周状突出部が挿通可能な第１開孔部と、前記周状突出部の軸心方向の長さよりも長い軸心方向の長さを有した内周面と前記第１開孔部よりも大きな内径とを有した第２開孔部とが同心状に形成されたものであり、
さらに、前記接続部材の他端側には、前記第２開孔部よりも大きな内径を有した第３開孔部が前記第２開孔部と同心状に形成されており、
前記接続部材を前記金具本体に挿入し、前記第１開孔部の内周面を前記第１の管体部の外周面と対向させ、かつ、前記第２開孔部の内周面を前記周状突出部の外周面と対向するように位置決めする位置決め工程と、
前記第１開孔部の内径が前記周状突出部の外径よりも小さく、かつ、前記接続部材が前記金具本体に対して軸方向に移動可能となるように、前記位置決め工程で位置決めされた前記接続部材の第１開孔部が形成された肩かしめ部を径方向にかしめる肩かしめ工程と、
前記第２開孔部と前記第３開孔部の境界にある前記接続部材の軸心方向の端面を、前記接続部材の他端側から一端側へ軸心方向に塑性変形させて内周返り部を形成するとともに、前記肩かしめ工程後の第１開孔部と第２開孔部の境界にある前記接続部材の軸心方向の端面および第２開孔部の内周面並びに前記内周返り部によって、前記周状突出部を縦断面視コの字状に挟み込むようにかしめる接続部材と金具本体とのかしめ工程と、
を備えることを特徴とする。
【００１０】
また、第２発明に係る口金具の製造方法は、第１発明に係る口金具の製造方法において、前記肩かしめ工程は、前記第１開孔部の内径が前記周状突出部の外径よりも小さく、かつ、前記接続部材が前記金具本体に対して軸方向に移動可能となるように、前記位置決め工程で位置決めされた前記接続部材の第１開孔部および第２開孔部が形成された肩かしめ部を径方向にかしめることを特徴とする。
【発明の効果】
【００１１】
上記第１発明に係る口金具の製造方法の構成によれば、ステンレス鋼製の略筒形状を有する接続部材を採用しているため、接続部材全体を被覆部材で覆う必要もなく、コスト高となることがないばかりか、外観性を損なうこともなく、かつ、耐食性にも優れる（すなわち、接続部材と第２の管体部との間に挿入されたホースの締結に際して、接続部材を外周からかしめても、顧客から要求される耐食性を満足する）。また、通常の鉄製の管状の金具本体を採用し、特別にスプリングバック量を改善した材質に調質する必要がないため、コスト高となってしまうこともない。
【００１２】
また、上述した位置決め工程と２段階のかしめ工程｛すなわち、１段階目のかしめ工程（肩かしめ工程）と２段階目のかしめ工程（接続部材と金具本体のかしめ工程）とが組み合わされたかしめ工程である｝とを備え、前記肩かしめ工程後の第１開孔部と第２開孔部の境界にある前記接続部材の軸心方向の端面および第２開孔部の内周面並びに前記内周返り部によって、前記周状突出部を縦断面視コの字状に挟み込むようにかしめるため、オイル漏れを防止することができる。
【図面の簡単な説明】
【００１３】
【図１】本実施形態に係る口金具の製造方法において、位置決め工程としての接続部材を金具本体に挿入する手順を説明するための説明図である。
【図２】本実施形態に係る口金具の製造方法における肩かしめ工程を説明するための説明図であって、（ａ）位置決めをして肩かしめされる前、（ｂ）肩かしめされた後の各状態を示す。
【図３】本実施形態に係る口金具の製造方法における接続部材と金具本体とのかしめ工程並びにホース接続工程を説明するための説明図であって、（ａ）かしめ工程前、（ｂ）かしめ工程後の各状態を示し、（ｃ）接続部材と金具本体のかしめ工程が完了した後に、さらにホースを接続した後の状態を示す。
【発明を実施するための形態】
【００１４】
本発明の実施形態に係る口金具の製造方法について、車両用ブレーキホースの口金具の製造方法を例として、添付図１〜３を参照しながら、その製造工程手順に沿って説明する。
【００１５】
図１は、本実施形態に係る口金具の製造方法において、位置決め工程としての接続部材を金具本体に挿入する手順を説明するための説明図、図２は、本実施形態に係る口金具の製造方法における肩かしめ工程を説明するための説明図であって、（ａ）位置決めをして肩かしめされる前、（ｂ）肩かしめされた後の各状態を示し、図３は、本実施形態に係る口金具の製造方法における接続部材と金具本体のかしめ工程並びにホース接続工程を説明するための説明図であって、（ａ）かしめ工程前、（ｂ）かしめ工程後の各状態を示し、（ｃ）接続部材と金具本体のかしめ工程が完了した後に、さらにホースを接続した後の状態を示す。
【００１６】
本実施形態に係る口金具の製造方法は、ステンレス鋼製の略筒形状を有する接続部材としてのソケット５と、このソケット５と同心状にソケット５内で固定される鉄製の管状の金具本体４と、からなる口金具を製造する方法を例とする。ここで、略筒形状とは、円形状、多角形状等の外形断面形状と、この断面の直行方向に円形断面の空洞部を有する筒形の形状である。
【００１７】
前記金具本体４は、第１の管体部としてのパイプ１と、第２の管体部としてのニップル２と、パイプ１の他端側とニップル２の一端側との間に形成された、パイプ１の外径ｄ１（＝５ｍｍ）およびニップル２の外径ｄ２（＝３．２ｍｍ）よりも大きな外径ｄ３（＝６ｍｍ）を有した周状突出部３と、からなる。また、パイプ１と周状突出部３用の材料としては、ＴＤＷ（ＪＡＳＯ  Ｍ１０１：二重巻鋼管）、ＴＳＷ（ＪＡＳＯ  Ｍ１０１：一重巻鋼管）、ＳＴＫＭ（機械構造用炭素鋼鋼管）或いはＳＴＡＭ（自動車構造用電気抵抗溶接炭素鋼鋼管）等を用いることができ、パイプ１と周状突出部３とは一体に形成されている。また、ニップル２用の材料としては、クロムモリブテン鋼（ＳＣＭ４１５〜ＳＣＭ４４０）、冷間鍛造用炭素鋼（ＳＷＣＨ１２〜ＳＷＣＨ２０）、機械構造用炭素鋼（Ｓ１０Ｃ〜Ｓ４５Ｃ）或いはＳＴＫＭ等を用いることができる。そして、パイプ１と周状突出部３とが一体に形成された周状突出部３にニップル２を接合することで、金具本体４が完成する。また、パイプ１の一端側には、アイジョイント等の相手部品との接続用金具が形成されているが、ここでは、図示および詳細な説明を省略する。
【００１８】
また、前記ソケット５には、肩かしめ部５ａが設けられているとともに、この肩かしめ部５ａは、ソケット５の一端側から軸心方向に順に、外径ｄ３を有した周状突出部３が挿通可能な内径ｄ４（＝６．１ｍｍ）を有した第１開孔部６と、周状突出部３の外周面の軸心方向の長さ（＝１．５ｍｍ）よりも長い軸心方向の長さ（＝３ｍｍ）を有した内周面と第１開孔部６よりも大きな内径ｄ５（＝７ｍｍ）とを有した第２開孔部７とが同心状に形成されている。さらに、ソケット５の他端側には、第２開孔部７よりも大きな内径ｄ６（＝８ｍｍ）を有した第３開孔部８が第２開孔部７と同心状に形成されている。ソケット５の材料としては、オーステナイト系ステンレス鋼(例えば、１８−８ステンレス鋼)、フェライト系のステンレス鋼、マルテンサイト系のステンレス鋼、オーステナイト・フェライト二相ステンレス鋼および析出硬化ステンレス鋼等、多くのステンレス鋼を用いることができる。
【００１９】
次に、口金具の製造方法の各工程に関して、以下に順次説明する。
【００２０】
（位置決め工程）
図１に示すように、ソケット５を金具本体４に挿入する。そして、図２（ａ）に示すように、第１開孔部６の内周面をパイプ１の外周面のみと対向させ、かつ、第２開孔部７の内周面をパイプ１の外周面および周状突出部３の外周面３ｂおよびニップル２の外周面と対向するように位置決めする。このように位置決めすることにより、第１開孔部６と第２開孔部７との境界にあるソケット５の軸心方向の端面６ａと周状突出部３の一端側の端面３ａとの間に、ソケット５が金具本体４に対して軸方向に移動可能となる十分な間隙が生ずるので好ましい。しかし、第１開孔部６の内周面をパイプ１の外周面と対向させ、かつ、第２開孔部７の内周面を周状突出部３の外周面３ｂと対向するように位置決めするだけでも、ソケット５が金具本体４に対して軸方向に移動可能となる間隙が実際上は多少生ずるので、このような位置決めを採用することも可能である。
【００２１】
（肩かしめ工程）
次に、図２（ａ）に示す第１開孔部６の内径ｄ４が周状突出部３の外径ｄ３よりも小さく、かつ、ソケット５が金具本体４に対して軸方向に移動可能となるように、上記位置決め工程で位置決めされたソケット５の第１開孔部６および第２開孔部７が形成された箇所に対応する肩かしめ部５ａを外周数箇所から（例えば、８本のツメで）径方向｛矢印（⇒）で示す方向｝にかしめる。その結果、図２（ｂ）に示すように、第１開孔部６の内径ｄ７（肩かしめ後の内径）が周状突出部３の外径ｄ３よりも小さく、かつ、ソケット５が金具本体４に対して軸方向に移動可能である。すなわち、第２開孔部７の内径ｄ８（肩かしめ後の内径）が、周状突出部３の外径ｄ３よりもわずかに大きい。したがって、図２（ｂ）に示すようなソケット５と金具本体４の状態であると、ソケット５が金具本体４に対して引っかかり、ソケット５が金具本体４から落ちないばかりか、次工程（ソケット５と金具本体４のかしめ工程）の位置決めも容易となる。また、この状態であると、ソケット５が金具本体４に対して固着されていないため、ソケット５が金具本体４に対して軸方向に移動可能であるばかりか、ソケット５は金具本体４に対して回転も可能であり好ましい。しかし、肩かしめ工程は、本実施形態の例に必ずしも限定されるものではなく、第１開孔部６の内径ｄ４が周状突出部３の外径ｄ３よりも小さく、かつ、ソケット５が金具本体４に対して軸方向に移動可能となるように、位置決めされたソケット５の第１開孔部６が形成された箇所に対応する肩かしめ部５ａを外周数箇所から（例えば、８本のツメで）径方向｛矢印（⇒）で示す方向｝にかしめる肩かしめを採用することも可能である。
【００２２】
（接続部材と金具本体のかしめ工程）
次に、図３（ａ）に示すように、上記肩かしめ工程でかしめられた第２開孔部７と第３開孔部８との境界にあるソケット５（接続部材）の軸心方向の端面７ａを、ソケット５の他端側から一端側へ軸心方向に｛矢印（⇒）で示す方向に｝、かしめピン｛図示は省略、外径Ｄ１（後記、図３（ｂ）に示すかしめ径Ｄ１に相当）｝を用いて、かしめる径方向の肉厚ｔ１、かしめ量Ｈ１（各々後記、図３（ｂ）参照）だけプレス加工する。そして、図３（ｂ）に示すように、前記プレス加工により、塑性変形させて内周返り部７ｂを形成するとともに、上記肩かしめ工程後の第１開孔部６と第２開孔部７との境界にあるソケット５の軸心方向の端面６ａおよび第２開孔部７の内周面並びに内周返り部７ｂによって、周状突出部３を縦断面視コの字状に挟み込むようにかしめる。また、前述したＤ１、ｄ８およびｔ１には、（Ｄ１−ｄ８）／２＝ｔ１を満足する関係がある。なお、本実施形態においては、Ｄ１＝７ｍｍ，ｔ１＝０．５ｍｍ，Ｈ１＝１．３ｍｍである。
【００２３】
また、図３（ｃ）に示すように、ソケット５と金具本体４とのかしめ工程が完了した後に、さらにソケット５とニップル２との間にホース１０を挿入し、ソケット５の加締部５ｂを外周数箇所から矢印（⇒）で示すように求心方向にかしめて、ホース１０を接続する。
【００２４】
上記ソケット５と金具本体４とのかしめ工程では、上記肩かしめ工程後の第１開孔部６と第２開孔部７との境界にあるソケット５の軸心方向の端面６ａおよび第２開孔部７の内周面並びに内周返り部７ｂによって、周状突出部３を縦断面視コの字状に挟み込むようにかしめられているため、仮に経年変化により、ニップル２とホース１０との間にオイルが伝わったとしても、オイル漏れが防止できる｛顧客から要望される所定の耐圧試験（例えば、条件：３０ＭＰａ×３分）により確証済みである｝。前記オイル漏れが防止できるのは、周状突出部３の他端側の稜部３ｄの曲率半径ｒが０．５ｍｍであるため、ソケット５の他端側から一端側へ軸心方向にかしめピンを用いてプレス加工し、塑性変形させて内周返り部７ｂを形成する際に、前記稜部３ｄが上記肩かしめ工程後の第２開孔部７の内周面と内周返り部７ｂとの境目に線接触しながら食い込むことによる楔効果に起因しているのではないかと考えている。
【００２５】
なお、本実施形態においては、周状突出部３の他端側の稜部３ｄの曲率半径ｒが０．５ｍｍである場合について説明したが、必ずしもこれに限定されるものではなく、上記楔効果に基づくならば、稜部３ｄの曲率半径ｒは１．０ｍｍ以下が好ましく、０．５ｍｍ以下がより好ましい。
【００２６】
上述したように、本発明に係る口金具の製造方法の構成によれば、ステンレス鋼製の略筒形状を有する接続部材を採用しているため、接続部材全体を被覆部材で覆う必要もなく、コスト高となることがないばかりか、外観性を損なうこともなく、かつ、耐食性にも優れる（すなわち、接続部材と第２の管体部の間に挿入されたホースの締結に際して、接続部材を外周からかしめても、顧客から要求される耐食性を満足する）。また、通常の鉄製の管状の金具本体を採用し、特別にスプリングバック量を改善した材質に調質する必要がないため、コスト高となってしまうこともない。このように、本発明を採用したならば、安価であり、外観性を損なうこともない構成でありながら、耐食性に優れるとともに、オイル漏れが防止できるという作用効果を奏する。
【００２７】
以上、本発明の実施形態を説明したが、具体例を例示したに過ぎず、特に本発明を限定するものではなく、具体的構成等は、適宜設計変更可能である。また、発明を実施するための形態に記載された、作用及び効果は、本発明から生じる最も好適な作用及び効果を列挙したに過ぎず、本発明による作用及び効果は、発明を実施するための形態に記載されたものに限定されるものではない。
【符号の説明】
【００２８】
１  パイプ
２  ニップル
３  周状突出部
３ａ、３ｃ  端面
３ｂ  外周面
３ｄ  稜部
４  金具本体
５  ソケット
５ａ  肩かしめ部
５ｂ  加締部
６  第１開孔部
６ａ  端面
７  第２開孔部
７ａ  端面
７ｂ  内周返り部
８  第３開孔部
１０  ホース
【図１】
2019011777.tif 000003
【図２】
2019011777.tif 000004
【図３】
2019011777.tif 000005